(57)【要約】      （修正有）【課題】読み取り装置と電子製品が便利に使用出来、ユーザーの消費コストを減少させる。【解決手段】本体を有し、本体表面は、ディスプレイ、メモリカード連接ポート、及び、制御インターフェースを有し、本体内は、マイクロプロセッサ、第一OTG装置、第二OTG装置を設置し、第一OTG装置と第二OTG装置は、それぞれ、マイクロプロセッサに連接され、マイクロプロセッサは、ディスプレイ、メモリカード連接ポート、及び、制御インターフェースに連接され、第一OTG装置と第二OTG装置は、異なる電子製品に連接され、ユーザーは制御インターフェースにより指令を下し、各種電子製品内に保存されたデータの出力と入力を実行し、ユーザーは各電子製品の保存するデータの処理が容易になる。【選択図】図２
0003109827.tif 000002
【実用新案登録請求の範囲】
【請求項１】
ホストを有する読取装置であって、前記読取装置は本体を有し、前記本体表面は、ディスプレイ、メモリカード連接ポート、及び、制御インターフェースを有し、前記本体内はマイクロプロセッサを設置し、前記マイクロプロセッサは、前記ディスプレイ、前記メモリカード連接ポート、及び、前記制御インターフェースに連接され、その特徴は、
前記本体内に、読取装置を電子製品に連接、制御する第一OTG装置と第二OTG装置を有し、且つ、前記第一OTG制御装置と前記第二OTG制御装置は、前記マイクロプロセッサに連接されることを特徴とする読取装置。
【請求項２】
前記第一OTG制御装置と前記第二OTG制御装置は、それぞれ、第一OTG制御器と第二OTG制御器を設置し、前記第一OTG制御器と前記第二OTG制御器は、それぞれ、第一連接ポートと第二連接ポートに連接されることを特徴とする請求項１に記載の読取装置。
【請求項３】
前記本体内に、MP３を再生できるMP３制御器、データを保存する保存装置と電源供給器を設置し、MP３制御器と前記保存装置は、前記マイクロプロセッサに連接されることを特徴とする請求項１に記載の読取装置。
【考案の詳細な説明】
【技術分野】
【０００１】
本考案は、ホストを有する読取装置に関するものであって、特に、異なる電子製品に接続でき、各電子製品内に保存されるデータの出力、或いは、入力の動作をするホストを有する読取装置に関するものである。
【背景技術】
【０００２】
フラッシュメモリは、低消耗電力、非揮発性、耐震、高メモリ密度等の長所があり、多くポータブル装置中、EEPROM、或いは、電池供電のメモリを代替している。現在の半導体技術の発展により、フラッシュメモリのメモリ密度と伝送速度は、更に、飛躍的に成長し、フラッシュメモリは、多くのアプリケーションにおいて、ハードディスク機等の公知のメモリ媒体に取って代わってきている。フラッシュメモリは、上述のような特性と功能があるので、相関する業者は、フラッシュメモリを利用して、メモリカードを発展させ、PCMCIAのメモリ型式以外に、現在は、マルチメディアカードMMC、コンパクトフラッシュ（登録商標）カードCF、スマートメディアカードSMC、メモリスティックMS、セキュアデジタルメモリカードSD、XD等の規格があり、メモリカードがこの世に出てから、消費者に注目され続けて、今では、欠かすことの出来ない使用ツールとなっている。
【考案の開示】
【考案が解決しようとする課題】
【０００３】
しかし、現在のコンピュータ技術は成長速度が速く、コンピュータの発展は、演算功能が強く、速度も速く、体積が小さい方向に邁進し、コンピュータが連接するコミュニケーション連接ポートの数量、及び、メモリ保存装置（ハードディスク、光ディスク装置）の数量は減少し、よって、業者は一種の読取装置を提供し、読取装置をコンピュータに接続する時、メモリカード内に保存されたデータは、コンピュータの操作により処理され、この種の読取装置は、コンピュータに接続しないと、保存したデータを交換使用できないので、コンピュータがない情況の時実行できず、非常に不便である。
【０００４】
更に、現在のコンピュータ周辺の電子製品は種類が多く、各電子製品間で、データ交換の作業が必要な時、コンピュータに連接しないといけないので、ユーザーが容易に、各電子製品が保存するデータの処理が出来るように、改良の必要がある。
【課題を解決するための手段】
【０００５】
本考案は、上述の問題を解決するため、読取装置内に設置された第一OTG制御装置と第二OTG装置により、異なる電子製品を連接し、各電子製品は、コンピュータに連接しなくても、データ交換が可能で、且つ、電子製品は、読取装置内の保存装置、及び、読取装置が連接するメモリカードにより、データ交換を実行するので、ユーザーにとって、読取装置と電子製品の使用を容易にすることを目的とする。
【０００６】
本考案は、読取装置内に設置されたMP３制御器により、読み取り装置に、MP３再生の功能を備えさせ、読み取り装置は、多種多様の功能を有し、消費者の消費コストを減少させ、製品の価値を増加させることをもう一つの目的とする。
【考案の効果】
【０００７】
ホストを経ることなく、読み取り装置と電子製品が便利に使用出来、また、MP３プレーヤーを別途に購入する必要がなく、ユーザーの消費コストを減少させる、という長所を有する。
【考案を実施するための最良の形態】
【０００８】
上述の目的を達成するため、本考案は、ホストを有する読取装置を提供し、読取装置は、本体を有し、本体表面は、ディスプレイ、メモリカード連接ポート、及び、制御インターフェースを有し、且つ、本体内は、マイクロプロセッサ、第一OTG装置、第二OTG装置を設置し、第一OTG装置と第二OTG装置は、それぞれ、マイクロプロセッサに連接され、且つ、マイクロプロセッサは、ディスプレイ、メモリカード連接ポート、及び、制御インターフェースに連接され、前記第一OTG装置と第二OTG装置は、異なる電子製品に連接され、ユーザーは制御インターフェースにより指令を下し、各種電子製品内に保存されたデータの出力と入力を実行し、ユーザーは各電子製品の保存するデータの処理が容易になる。
【実施例１】
【０００９】
図１、図２は、本考案の好ましい実施例の外観、及び、構造を示す図である。図から分かるように、読取装置は本体１０で、本体１０表面は、ディスプレイ１１０、メモリカード連接ポート１２０、及び、制御インターフェース１３０を有し、且つ、本体１０内は、マイクロプロセッサ１４０、第一OTG装置１５０、第二OTG装置１６０、MP３制御器１７０、保存装置１８０、及び、電源供給器１９０、を有し、第一OTG装置１５０、第二OTG装置１６０、MP３制御器１７０、保存装置１８０は、それぞれ、マイクロプロセッサ１４０に連接され、且つ、マイクロプロセッサ１４０は、ディスプレイ１１０、メモリカード連接ポート１２０、及び、制御インターフェース１３０に連接される。
【００１０】
ディスプレイ１１０は、読取装置の作動時の状態を表示する。
【００１１】
メモリカード連接ポート１２０は、メモリカード２０を挿入、連接する。
【００１２】
制御インターフェース１３０は、一つ、或いは、一つ以上のボタン１３０を有し、且つ、制御インターフェース１３０は、ユーザーに読取装置を操作させるものである。
【００１３】
マイクロプロセッサ１４０は、制御インターフェース１３０による指令を実行する。
【００１４】
第一OTG制御装置１５０は、電子製品３０に連接、操作が可能で、第一OTG制御装置１５０は、第一OTG制御器１５１０を設置し、第一OTG制御器１５１０は、第一連接ポート１５２０を連接し、且つ、第一連接ポート１５２０は、電子製品３０が設置するコネクター３１０と電気的に接続する。
【００１５】
第二OTG制御装置１６０は、電子製品３０に連接、操作が可能で、第二OTG制御装置１６０は、第二OTG制御器１６１０を設置し、第二OTG制御器１６１０は、第二連接ポート１６２０を連接し、且つ、第二連接ポート１６２０は、電子製品３０が設置するコネクター３１０と電気的に接続する。
【００１６】
MP３制御器１７０は、MP３類型のデータを再生する。
【００１７】
保存装置１８０は、データを保存し、且つ、保存装置１８０は、フラッシュメモリ、或いは、ハードディスクである。
【００１８】
電源供給器１９０は、読取装置が必要な電源を提供する。
【００１９】
図３は、本発明の好ましい実施例によるフローチャートであり、図１、図２と合わせて参照すると、各電子製品３０は、設置されるコネクター３１０により、第一連接ポート１５１０、第二連接ポート１６１０に連接されるとき、マイクロプロセッサ１４０は、電子製品３０と保存装置１８０のファイル構造を検出し、ディスプレイ１１０に表示して、ユーザーがディスプレイ１１０を通じて、各電子製品３０と保存装置１８０のファイル構造を理解して、ユーザーは、制御インターフェース１３０の設置するボタンにより、各種電子製品３０内に保存されたデータの出力、或いは、入力の動作を実行するか、或いは、保存装置１８０内に保存されたデータと電子製品内に保存されたデータの出力、或いは、入力の動作を実行させ、且つ、マイクロプロセッサ１４０が、制御インターフェースが下す指令を実行する時、マイクロプロセッサ１４０は、第一OTG制御器１５１０と第二OTG制御器１６１０を、それぞれ、ホストとクライアントに設定し、ファイルの出力、或いは、入力を実行すると共に、ファイルの伝送終了後、結果をディスプレイ１１０に表示する。
【００２０】
更に、メモリカード連接ポート１２０内は、メモリカード２０を連接する時、メモリカード２０内に保存されたデータは、電子製品３０、或いは、保存装置１８０内のデータと出力、或いは、入力を実行する。
【００２１】
また、第一OTG制御装置１５０と第二OTG制御装置１６０が、電子製品３０と連接していない時、読取装置は、MP３制御器１７０により、保存装置１８０内、或いは、メモリカード連接ポート１２０が連接するメモリカード２０内にMP３データを再生し、ユーザーはMP３の音楽を楽しむことが出来、MP３プレーヤーを別途に購買する必要がない。
【００２２】
また、メモリカード２０は、CFカード、SMCカード、MSカード等で、電子製品３０は、ポケットディスク、或いは、ポータブルハードディスクである。
【実施例２】
【００２３】
図４、図５は、本考案のもう一つの好ましい実施例を示す図である。図から分かるように、本考案が設置するメモリカード連接ポート１２０は一つ以上で、読取装置は、多種の異なるメモリカード２０を使用して、製品の適用性を増加させる。
【００２４】
本考案のホストを有する読取装置は、公知技術を改善し、以下のような長所を有する。
１． 本考案はマイクロプロセッサが連接する第一OTG制御装置と第二OTG制御装置により、異なる電子製品を連接し、各電子製品内に保存されるデータは読み取り装置により、出力、入力の動作が可能で、ホストを経ることなく、読み取り装置と電子製品が便利に使用できる。
２． 本考案は、読取装置内に設置されたMP３制御器を利用し、読取装置はMP3制御器により、保存装置内、或いは、メモリカード連接ポートに連接されたメモリカード内のMP３データを再生し、MP３の音楽を楽しむことが出来、MP３プレーヤーを別途に購入する必要がなく、ユーザーの消費コストを減少させる。
【００２５】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案明の保護範囲は、実用新案請求の範囲で指定した内容を基準とする。
【図面の簡単な説明】
【００２６】
【図１】本考案による好ましい実施例の外観図である。
【図２】本考案による好ましい実施例の構造図である。
【図３】本考案による好ましい実施例のフローチャートである。
【図４】本考案によるもう一つの好ましい実施例の外観図である。
【図５】本考案によるもう一つの好ましい実施例の構造図である。
【符号の説明】
【００２７】
１０…本体
１１０…ディスプレイ
１２０…メモリカード連接ポート
１３０…制御インターフェース
１３１０…ボタン
１４０…マイクロプロセッサ
１５０…第一OTG装置
１５１０…第一OTG制御器
１５２０…第一連接ポート
１６０…第二OTG装置
１６１０…第二OTG制御器
１６２０…第二連接ポート
１７０…MP３制御器
１８０…保存装置
１９０…電源供給器
２０…メモリカード
３０…電子製品
３１０…コネクター
【図１】
0003109827.tif 000003
【図２】
0003109827.tif 000004
【図３】
0003109827.tif 000005
【図４】
0003109827.tif 000006
【図５】
0003109827.tif 000007